(57)【特許請求の範囲】
【請求項１】
自動車のサイドシル部分に取り付けて使用するスカッフプレートであって、サイドシル部分に密着する断面形状を有する透明な合成樹脂板の幅方向の中程に、上方へ凸に湾曲した溝部を形成し、且つ、溝部以外の合成樹脂板裏面に着色塗膜を形成する一方、前記溝部には、軸方向の一端から入射した光を他端側へ伝送する機能と、伝送される光を外周面から漏光させる機能とを備えた可撓性ロッドと、その軸方向の一端に付設された光源とから成る棒状の照明器具を、光源と可撓性ロッドの端部が視覚的に隠蔽された状態に嵌め込み固定してあることを特徴とするスカッフプレート。
【請求項２】
自動車のドアを開けることによって、光源に通電されるように構成してあることを特徴とする請求項１に記載のスカッフプレート。
【発明の詳細な説明】
【０００１】
【発明の属する技術分野】
本発明は、自動車のサイドシル部分に取り付けて使用するスカッフプレートに関する。
【０００２】
【従来の技術】
スカッフプレートは、自動車への乗降時におけるサイドシル部分の保護カバーとしての役目もあるが、むしろ、サイドシル部分をドレスアップして、ドアを開けた際の足元の印象を華やかにする役目が大きい。そのため、従来のスカッフプレートには、サイドシル部分の塗装色とは異なる色に着色された合成樹脂板やステンレス板等で形成し、表面に車名のロゴを入れたものが多い。しかしながら、これらのスカッフプレートでは、夜間においては、ドアを開けた際、ロゴ部分がさほど目立たず、装飾効果が乏しい。
【０００３】
また、装飾効果を高めるために、ステンレス板の一部に貫通孔を切り欠き形成し、裏面側からこの孔に合わせてデザインされた照明器具（光源とロゴ入りの半透明なカバー等で構成される。）を嵌め込み、ドアを開けることによって照明器具が点灯するようにしたスカッフプレートも知られている。しかしながら、これによる場合は、製造工程が複雑である上、構成部品点数が多く、長い電気配線も必要で、コストが高く付くという不都合がある。
【０００４】
【発明が解決しようとする課題】
本発明は、上記の点に留意してなされたものであって、その目的とするところは、夜間においては、スカッフプレートの幅方向の一部がスカッフプレートの長手方向と平行な線状に明るく光り輝いて、高い装飾効果が得られる安価なスカッフプレートを提供することにある。
【０００５】
【課題を解決するための手段】
上記の課題を解決するために、本発明が講じた技術的手段は、次のとおりである。即ち、本発明によるスカッフプレートは、自動車のサイドシル部分に取り付けて使用するスカッフプレートであって、サイドシル部分に密着する断面形状を有する透明な合成樹脂板の幅方向の中程に、上方へ凸に湾曲した溝部を形成し、且つ、溝部以外の合成樹脂板裏面に着色塗膜を形成する一方、前記溝部には、軸方向の一端から入射した光を他端側へ伝送する機能と、伝送される光を外周面から漏光させる機能とを備えた可撓性ロッドと、その軸方向の一端に付設された光源とから成る棒状の照明器具を、光源と可撓性ロッドの端部が視覚的に隠蔽された状態に嵌め込み固定してあることを特徴としている。
【０００６】
尚、光源は、専用の電源に接続してもよいが、ドアを開けることによって自動的に点灯するように構成されている室内灯やドアランプ等の電気配線に接続し、自動車のドアを開けることによって、光源に通電されるように構成することが望ましい。
【０００７】
上記の構成によれば、光源に通電すると、可撓性ロッドの一端から他端側へと伝送される光がロッド外周面から上方へ漏光して、スカッフプレートの透明な溝部が線状に明るく光り輝くことになり、非常に高い装飾効果が得られることになる。
【０００８】
しかも、上記のスカッフプレートは、透明な合成樹脂板の成形、裏面への印刷又は塗装による着色塗膜の形成、可撓性ロッドとその長手方向一端に付設された光源とからなる棒状照明器具の嵌め込みといった簡単な方法によって製造でき、光源が可撓性ロッドの長手方向一端に付設されているため、電気配線も短くて済み、低コストで実施することができる。
【０００９】
【発明の実施の形態】
以下、本発明の実施の形態を、図面に基づいて説明する。図１と図２に示すＡは、自動車のサイドシル部分Ｂに、両面テープＣ等によって取り付けたスカッフプレートである。
【００１０】
前記スカッフプレートＡは、図３〜図５に示すように、サイドシル部分Ｂに密着する断面形状を有する透明な合成樹脂板（例えばアクリル樹脂板）１の幅方向の中程に、上方へ凸に湾曲した溝部２を形成し、且つ、溝部２以外の合成樹脂板１裏面に、印刷又は塗装により、着色塗膜３を形成する一方、前記溝部２には、軸方向の一端から入射した光を他端側へ伝送する機能と、伝送される光を外周面から漏光させる機能とを備えた可撓性ロッド４と、その軸方向の一端に付設された光源５とから成る棒状の照明器具Ｄを、光源５と可撓性ロッド４の両端部（又は光源側の一端部）が着色塗膜３で視覚的に隠蔽された状態に嵌め込み固定して構成したものである。
【００１１】
可撓性ロッド４としては、例えば、透明な光伝送用ロッドと、その外周面に付設された透明な光拡散膜とから構成されたものや、内部に高屈折率の光拡散用粉粒体を分散させた半透明なもの等が使用される。
【００１２】
６は、光源５や光源用コネクタ７を視覚的に隠蔽すると共に、余分な光が周囲に漏れるのを防止する不透明なカバーであり、合成樹脂板１の端部に着脱可能な状態に嵌着されている。光源５は、ドア８を開けることによって自動的に点灯するように構成されている室内灯やドアランプ（ドア近くの地面を照らすランプ）等の電気配線に接続し、自動車のドア８を開けることによって、光源５に通電され、ドア８を閉めることによって、通電が断たれるように構成してある。この光源５としては、電球であってもよいが、この例では、高輝度の発光ダイオードを使用している。
【００１３】
上記の構成によれば、棒状の照明器具Ｄが合成樹脂板１の溝部２に嵌め込まれているため、棒状照明器具Ｄの存在にもかかわらず、スカッフプレートＡを、合成樹脂板１がサイドシル部分Ｂに密着した状態に、安定良く取り付けることができる。そして、ドア８を開けると、光源５に通電され、光源５から照射される光が、可撓性ロッド４の一端から他端側へと伝送されると共に、ロッド外周面から上方へ漏光して、スカッフプレートＡの透明な溝部２が線状に明るく光り輝くことになり、非常に高い装飾効果が得られることになる。
【００１４】
しかも、上記のスカッフプレートＡは、透明な合成樹脂板１の成形（二次加工）、裏面への印刷又は塗装による着色塗膜３の形成、可撓性ロッド４とその長手方向一端に付設された光源５とからなる棒状照明器具Ｃの嵌め込みといった簡単な方法によって製造でき、光源５が可撓性ロッド４の長手方向一端に付設されているため、電気配線も短くて済み、低コストで実施することができる。
【００１５】
【発明の効果】
本発明は、上述した構成よりなり、夜間においては、スカッフプレートの幅方向の一部がスカッフプレートの長手方向と平行な線状に明るく光り輝いて、高い装飾効果が得られるスカッフプレートを安価に提供できる等の効果がある。
【図面の簡単な説明】
【図１】スカッフプレートの使用状態における斜視図である。
【図２】スカッフプレートの使用状態における断面図である。
【図３】スカッフプレートの斜視図である。
【図４】スカッフプレートの要部の縦断側面図である。
【図５】スカッフプレートの要部の縦断正面図である。
【符号の説明】
Ａ…スカッフプレート、Ｂ…サイドシル部分、Ｄ…棒状の照明器具、１…透明の合成樹脂板、２…溝部、３…着色塗膜、４…可撓性ロッド、５…光源。
【図１】
0004393672.tif 000002
【図２】
0004393672.tif 000003
【図３】
0004393672.tif 000004
【図４】
0004393672.tif 000005
【図５】
0004393672.tif 000006